(57)【特許請求の範囲】
【請求項１】
１個の共通ハウジング内にｎ個（ｎは３以上の整数）のヒューズエレメントを連ねてなるｎ連ヒュージブルリンクと、
該ｎ連ヒュージブルリンクの前記共通ハウジングのサイズに合わせて形成される装着空間を有するキャビティと、
該キャビティの底から前記装着空間に突出する複数の端子、又は前記底よりも奥位置に設けられる複数の端子と、
１個の単極ハウジング内に１個のヒューズエレメントを設けてなる単極ヒュージブルリンクとを備え、
前記装着空間の全長を、前記単極ハウジングのｎ個分の長さよりも短く設定するとともに、
前記複数の端子を、前記ｎ連ヒュージブルリンクに設けられる複数のヒューズ端子の位置に合わせて配置し、且つ、前記単極ヒュージブルリンクの装着時に前記単極ハウジングに当たらない位置にも配置する
ことを特徴とするヒュージブルリンク装着構造。
【請求項２】
請求項１に記載のヒュージブルリンク装着構造において、
前記複数の端子の配置として、前記キャビティに前記単極ヒュージブルリンクを装着する時に、前記単極ハウジングの隣又は両隣に非装着空間が生じる配置とする
ことを特徴とするヒュージブルリンク装着構造。
【請求項３】
請求項１又は請求項２に記載のヒュージブルリンク装着構造において、
前記キャビティにヒュージブルリンク装着方向にのびるガイドを複数形成する
ことを特徴とするヒュージブルリンク装着構造。
【請求項４】
請求項１ないし請求項３いずれか記載のヒュージブルリンク装着構造において、
前記キャビティに該キャビティの開口縁を凹ませる切り欠き部を少なくとも一対形成する
ことを特徴とするヒュージブルリンク装着構造。
【請求項５】
請求項１ないし請求項４いずれか記載のヒュージブルリンク装着構造を採用してなる
ことを特徴とする電気接続箱。
【発明の詳細な説明】
【技術分野】
【０００１】
本発明は、ヒュージブルリンクをキャビティに装着する構造に関する。また、この構造を採用してなる電気接続箱に関する。
【背景技術】
【０００２】
自動車等の車両に搭載される電気機器としては、例えば電気接続箱が挙げられる。電気接続箱は、リレーボックスやヒューズボックス、或いはジャンクションブロックや電子制御ユニットボックス等を総称するものとして知られている。
【０００３】
下記特許文献１には、電気接続箱に関する技術が開示されている。この開示技術によれば、ヒュージブルリンクの配列方向における寸法短縮を図ることができるようになっている。以下、簡単に説明をする。
【０００４】
図１１において、引用符号１０１は単極構成のヒュージブルリンクを示している。また、引用符号１０２はヒュージブルリンク１０１を４個分装着可能なヒューズボックスを示している。ヒューズボックス１０２は、ヒュージブルリンク１０１の装着部分としてキャビティ１０３を４つ有している。４つのキャビティ１０３は、隔壁なしで連続するように形成されている。各キャビティ１０３の底には、タブ状となる端子１０４が一対ずつ突出しており、ヒュージブルリンク１０１の装着に伴って電気的な接続がなされるようになっている。ヒューズボックス１０２は、上記の如く隔壁がないことから、ヒュージブルリンク１０１の配列方向のピッチＰ１がヒュージブルリンク１０１のヒューズハウジング幅Ｈ１と同じになるように形成されている。
【０００５】
図１２において、ヒューズボックス１０５は、ヒュージブルリンク１０１を４個分装着可能に形成されている。各キャビティ１０６は、隔壁１０７により仕切られている。各キャビティ１０６の底には、タブ状となる端子１０４が一対突出しており、ヒュージブルリンク１０１の装着に伴って電気的な接続がなされるようになっている。ヒューズボックス１０５は、隔壁１０７を有することから、ヒュージブルリンク１０１の配列方向のピッチＰ２がヒュージブルリンク１０１のヒューズハウジング幅Ｈ１及び隔壁７の厚みＨ２の合計と同じになるように形成されている。
【０００６】
上記構成及び構造において、図１１のようにすることにより、ヒュージブルリンク１０１の配列方向における寸法短縮を図ることができるという効果を奏する。尚、寸法短縮は小型化を図ることができるという効果にも繋がる。
【先行技術文献】
【特許文献】
【０００７】
【特許文献１】特開２０１０−３３８００号公報
【発明の概要】
【発明が解決しようとする課題】
【０００８】
上記従来技術にあっては、厚みＨ２となる隔壁１０７を３つ分削減して寸法短縮を図ることができる構造になっている。本願発明者は、更なる寸法短縮を図るためとして、次の点に着目している。すなわち、単極構成のヒュージブルリンク１０１を４個並べた場合、ヒュージブルリンク１０１同士の隣り合う部分では、ヒューズハウジングの壁が２つ対向して配置されるということに着目している。本願発明者は、隣り合う部分で２つの壁を１つに削減できる構造にすれば、更なる寸法短縮を図ることができると考えている。本願発明者は、具体策として、例えば４連のヒュージブルリンクを形成しようと考えている（連なる数は単に図１１、１２に合わせただけであるものとする。３連などであってもよいものとする）。
【０００９】
本願発明者は、例えば４連のヒュージブルリンクを形成した場合、キャビティが専用のものになってしまい、単極構成のヒュージブルリンク１０１が装着できなくなることを懸念している。
【００１０】
本発明は、上記した事情に鑑みてなされたもので、寸法短縮を図りつつ汎用性を高めることが可能なヒュージブルリンク装着構造及び電気接続箱を提供することを課題とする。
【課題を解決するための手段】
【００１１】
上記課題を解決するためになされた請求項１記載の本発明のヒュージブルリンク装着構造は、１個の共通ハウジング内にｎ個（ｎは３以上の整数）のヒューズエレメントを連ねてなるｎ連ヒュージブルリンクと、該ｎ連ヒュージブルリンクの前記共通ハウジングのサイズに合わせて形成される装着空間を有するキャビティと、該キャビティの底から前記装着空間に突出する複数の端子、又は前記底よりも奥位置に設けられる複数の端子と、１個の単極ハウジング内に１個のヒューズエレメントを設けてなる単極ヒュージブルリンクとを備え、前記装着空間の全長を、前記単極ハウジングのｎ個分の長さよりも短く設定するとともに、前記複数の端子を、前記ｎ連ヒュージブルリンクに設けられる複数のヒューズ端子の位置に合わせて配置し、且つ、前記単極ヒュージブルリンクの装着時に前記単極ハウジングに当たらない位置にも配置することを特徴とする。
【００１２】
請求項２記載の本発明のヒュージブルリンク装着構造は、請求項１に記載のヒュージブルリンク装着構造に係り、前記複数の端子の配置として、前記キャビティに前記単極ヒュージブルリンクを装着する時に、前記単極ハウジングの隣又は両隣に非装着空間が生じる配置とすることを特徴とする。
【００１３】
請求項３記載の本発明のヒュージブルリンク装着構造は、請求項１又は請求項２に記載のヒュージブルリンク装着構造に係り、前記キャビティにヒュージブルリンク装着方向にのびるガイドを複数形成することを特徴とする。
【００１４】
請求項４記載の本発明のヒュージブルリンク装着構造は、請求項１ないし請求項３いずれか記載のヒュージブルリンク装着構造に係り、前記キャビティに該キャビティの開口縁を凹ませる切り欠き部を少なくとも一対形成することを特徴とする。
【００１５】
また、上記課題を解決するためになされた請求項５記載の本発明の電気接続箱は、請求項１ないし請求項４いずれか記載のヒュージブルリンク装着構造を採用してなることを特徴とする。
【発明の効果】
【００１６】
請求項１に記載された本発明によれば、ｎ連ヒュージブルリンクにすることにより、従来に比べ寸法短縮を図ることができるという効果を奏する。また、本発明によれば、ｎ連ヒュージブルリンクのみならず単極ヒュージブルリンクの装着も可能な構造であることから、汎用性を高めることができるという効果も奏する。
【００１７】
請求項２に記載された本発明によれば、ｎ連ヒュージブルリンク及び単極ヒュージブルリンクの電気的な接続部分として複数設けられる端子のより良い配置を提供することができるという効果を奏する。
【００１８】
請求項３に記載された本発明によれば、請求項１又は請求項２の効果に加え、次のような効果を更に奏する。すなわち、キャビティにガイドを複数形成することから、装着性の向上を図ることができるという効果も奏する。
【００１９】
請求項４に記載された本発明によれば、請求項１ないし請求項３いずれかの効果に加え、次のような効果を更に奏する。すなわち、キャビティに切り欠き部を少なくとも一対形成することから、治具を用いての取り外しの際に、ヒュージブルリンクに対する摘みをし易くすることができるという効果を奏する。
【００２０】
請求項５に記載された本発明によれば、より良い電気接続箱を提供することができるという効果を奏する。
【図面の簡単な説明】
【００２１】
【図１】本発明の電気接続箱を示す分解斜視図である。
【図２】電気接続箱本体の拡大斜視図である。
【図３】カセットブロックの斜視図である。
【図４】ヒュージブルリンクの図であり、（ａ）は３連ヒュージブルリンクの斜視図、（ｂ）は単極ヒュージブルリンクの斜視図、（ｃ）は全長の違いを示す模式図である。
【図５】キャビティの図であり、（ａ）は平面図、（ｂ）は側面図、（ｃ）は斜視図である。
【図６】３連ヒュージブルリンク装着時のキャビティの図であり、（ａ）は平面図、（ｂ）は側面図、（ｃ）は斜視図である。
【図７】２つの単極ヒュージブルリンク装着時のキャビティの図であり、（ａ）は平面図、（ｂ）は側面図、（ｃ）は斜視図である。
【図８】１つの単極ヒュージブルリンク装着時のキャビティの図であり、（ａ）は平面図、（ｂ）は側面図、（ｃ）は斜視図である。
【図９】キャビティの図であり、（ａ）は斜視図、（ｂ）は３連ヒュージブルリンク装着時の斜視図である。
【図１０】キャビティの図であり、（ａ）は２つの単極ヒュージブルリンク装着時の斜視図、（ｂ）は１つの単極ヒュージブルリンク装着時の斜視図である。
【図１１】従来例のヒュージブルリンク及びヒューズボックス（隔壁なし）の図であり、（ａ）は斜視図、（ｂ）は平面図である。
【図１２】従来例のヒュージブルリンク及びヒューズボックス（隔壁有り）の図であり、（ａ）は斜視図、（ｂ）は平面図である。
【発明を実施するための形態】
【００２２】
本発明は、ｎ連ヒュージブルリンクを用いる構造であり、また、キャビティの底から突出する複数の端子、又はキャビティの底よりも奥位置に設けられる複数の端子を次のように配置する構造でもある。すなわち、ｎ連ヒュージブルリンクに設けられる複数のヒューズ端子の位置に合わせて複数の端子を配置する構造であり、単極ヒュージブルリンクの装着時に単極ハウジングに当たらない位置に複数の端子を配置する構造である。
【実施例】
【００２３】
以下、図面を参照しながら実施例を説明する。図１は本発明の電気接続箱を示す分解斜視図である。また、図２は電気接続箱本体の拡大斜視図、図３はカセットブロックの斜視図、図４はヒュージブルリンクの図、図５はキャビティの図、図６は３連ヒュージブルリンク装着時のキャビティの図、図７は２つの単極ヒュージブルリンク装着時のキャビティの図、図８は１つの単極ヒュージブルリンク装着時のキャビティの図、図９及び図１０はキャビティの斜視図である。
【００２４】
以下の説明において、具体的な形状、材料、数値、方向等は、本発明の理解を容易にするための例示であって、用途、目的、仕様等に合わせて適宜変更することができるものとする。
【００２５】
図１及び図２中の矢印Ｐは上下方向、矢印Ｑは左右方向、矢印Ｒは前後方向を示すものとする。
【００２６】
図１及び図２において、自動車等の車両（図示省略）に搭載される電気機器としての電気接続箱１は、電気接続箱本体２と、アッパーカバー３と、ロアカバー４と、サイドカバー５とを備えて構成されている。このような構成の電気接続箱１には、電線６の端末に設けられた端子金具７や、図示しないワイヤハーネス等が接続されている。
【００２７】
電線６は、図示しないオルタネータに接続されている。端子金具７は、電気接続箱本体２の端子取り付け部（後述する）に接続されている。端子取り付け部は、サイドカバー５にて覆われ、接続部分等が保護されている。端子取り付け部は、サイドカバー５を取り外すと、容易に露出する位置に配設されている。
【００２８】
上記端子取り付け部としては、着脱自在のＦＬボルトブロック８が用いられている。このＦＬボルトブロック８は、メインとなるヒュージブルリンクの機能を備えている。ＦＬボルトブロック８は、上記の如くサイドカバー５にて覆われる位置に配設されている。このため、ＦＬボルトブロック８は、メンテナンスし易い位置に配設されていると言える。
【００２９】
上記図示しないワイヤハーネスは、この一端が電気接続箱本体２の下部にコネクタ等で接続されている。そして、ロアカバー４から引き出されると、所定の経路で配索されるようになっている。図示しないワイヤハーネスの他端は、例えばジャンクションブロック等に接続されている。
【００３０】
電気接続箱１は、車両の所定位置に固定されている。本実施例においては、エンジンルーム内の所定位置に適宜手段にて固定されている。
【００３１】
電気接続箱本体２は、絶縁性を有する合成樹脂製のハウジング９と、このハウジング９の内側に嵌合するカセットブロックアッセンブリ１０とを含んで構成されている。カセットブロックアッセンブリ１０には、電気接続箱１の機能部分が集約されている。
【００３２】
ハウジング９は、樹脂成形品であって、上端の開口部分がアッパーカバー３の嵌合部分として形成されている。この上端の嵌合部分には、ロック部１１が複数形成されている。また、ハウジング９は、下端の開口部分がロアカバー４の嵌合部分として形成されている。この下端の嵌合部分には、ロック部１２が複数形成されている。さらに、ハウジング９は、この一側部の開口部分がサイドカバー５の嵌合部分として形成されている。上記一側部の嵌合部分には、ロック部１３が複数形成されている。
【００３３】
上記一側部の開口部分は、カセットブロックアッセンブリ１０のＦＬボルトブロック８を臨むことができるような形状に、また、ＦＬボルトブロック８を着脱することができる形状に形成されている。
【００３４】
上記一側部の開口部分において、引用符号１４は端子案内部を示している。また、引用符号１５はブリッジ部を示している。端子案内部１４は、ＦＬボルトブロック８への接続の際に端子金具７を案内することができるように、また、この端子金具７の配置を規制することができるように形成されている。ブリッジ部１５は、開口部分を横切るような形状に形成されている。
【００３５】
ハウジング９の内側には、カセットブロックアッセンブリ１０に対する嵌合部１６が形成されている。この嵌合部１６は、ハウジング９の下端の開口部分から上端の嵌合部分に向けてカセットブロックアッセンブリ１０を差し込むことができるように、また、カセットブロックアッセンブリ１０をハウジング９の内側に嵌合させることができるように形成されている。嵌合部１６は、カセットブロックアッセンブリ１０の大きさに合わせた空間を有するように形成されている。嵌合部１６には、ロック部１７が複数形成されている。
【００３６】
尚、引用符号１８は図示しない他のカセットブロックアッセンブリに対する嵌合部を示している。
【００３７】
カセットブロックアッセンブリ１０は、カセットブロック１９と、このカセットブロック１９の所定位置に装着されるヒュージブルリンク２０、３連ヒュージブルリンク２１、及び単極ヒュージブルリンク２２と、同じくカセットブロック１９の所定位置に装着されるヒューズ（図示省略）及びリレー（図示省略）と、上記のＦＬボルトブロック８とを含んで構成されている。ＦＬボルトブロック８は、上記の如く、メインとなるヒュージブルリンクの機能を備えている。
【００３８】
図２及び図３において、カセットブロック１９は、絶縁性のブロックハウジング２３と、このブロックハウジング２３に組み付けられる導電性のバスバー２４、２５とを含んで構成されている。
【００３９】
ブロックハウジング２３は、樹脂成形品であって、本実施例においては矢印Ｒ方向に細長くなる形状に形成されている（形状は一例であるものとする）。ブロックハウジング２３には、数多くのキャビティが形成されている。引用符号２６、２７、２８はヒュージブルリンク２０、３連ヒュージブルリンク２１、及び単極ヒュージブルリンク２２用のキャビティを示している。また、引用符号２９、３０は図示しないヒューズ及びリレー用のキャビティを示している。
【００４０】
キャビティ２６は、ヒュージブルリンク２０の仕様に合わせた形状に形成されている。また、キャビティ２７は、３連ヒュージブルリンク２１及び単極ヒュージブルリンク２２の仕様に合わせた形状に形成されている。また、キャビティ２８は、単極ヒュージブルリンク２２の仕様に合わせた形状に形成されている。また、キャビティ２９及びキャビティ３０は、図示しないヒューズ及びリレーの仕様に合わせた形状に形成されている。
【００４１】
ブロックハウジング２３は、この下側に図示しないワイヤハーネスの接続部分としてコネクタハウジング３１を複数有している。また、ブロックハウジング２３は、この側部にロック部３２を複数有している。ロック部３２は、ハウジング９の内側に設けられる嵌合部１６（図１参照）のロック部１７に嵌合する部分として形成されている。
【００４２】
ブロックハウジング２３は、矢印Ｒ方向の一端にＦＬボルトブロック着脱部３３を有している。言い換えれば、ハウジング９の一側部の開口部分（電気接続箱本体２の側部位置）に合わせてＦＬボルトブロック着脱部３３を有している。このＦＬボルトブロック着脱部３３は、ＦＬボルトブロック８を矢印Ｒ方向に沿って着脱自在にする部分として、また、電線６の端末の端子金具７の接続位置に対応する部分として形成されている。
【００４３】
バスバー２４、２５は、導電性を有する金属板をプレス加工することにより形成されている。バスバー２４、２５は、回路部品であって、それぞれ所望の経路を有するように形成されている。バスバー２４、２５は、オルタネータ側のバスバー及びバッテリー側のバスバーとして用いられている。
【００４４】
バスバー２４、２５の中間には、電気的な接続部分としてのタブ３４が数多く形成されている。タブ３４は、上記キャビティ２６〜３０の位置に合わせて配置形成されている。バスバー２４、２５は、矢印Ｒ方向にのびるとともに、途中で数多くのタブ３４を突出させるように形成されている。
【００４５】
キャビティ２７に対応するタブ３４は、特許請求の範囲に記載された「端子」に相当する部分であるものとする。
【００４６】
バスバー２４は、ＦＬボルトブロック８（図１及び図２参照）から見て接続相手となる第一接続相手３５を有している。また、バスバー２５も、ＦＬボルトブロック８から見て接続相手となる第二接続相手３６を有している。第一接続相手３５及び第二接続相手３６は、矢印Ｒ方向の一端に位置するように配置形成されている。また、第一接続相手３５及び第二接続相手３６は、ＦＬボルトブロック着脱部３３の内部空間に突出するように配置形成されている。第一接続相手３５及び第二接続相手３６は、ＦＬボルトブロック８を構成する図示しないメインヒュージブルリンクに対し接続されるようになっている。
【００４７】
以下、本発明に係る３連ヒュージブルリンク２１、単極ヒュージブルリンク２２、キャビティ２７、及びタブ３４について説明をする。
【００４８】
図４（ａ）において、３連ヒュージブルリンク２１は、３つのヒューズエレメント（図示省略）と、１つの共通ハウジング３７と、１つの可溶体カバー３８とを備えて構成されている。３つのヒューズエレメントは、公知のヒューズエレメントが所定の間隔で３つ並んだものとなっている。ヒューズエレメントは、可溶体と、この可溶体の両端に連続するヒューズ端子とを有している。尚、ヒューズエレメントを３つ連ねる構造であることから、ここでは「３連」と呼ぶものとする（本実施例においては３連であるが、４連や５連、６連のヒューズエレメントを備え、これらをｎ連ヒュージブルリンクと呼んでもよいものとする（ｎを３以上の整数とする））。
【００４９】
共通ハウジング３７は、絶縁性を有する樹脂部品であって、相対向する一対の側壁３９と、同じく相対向する一対の側壁４０と、上枠部４１と、図示しない下端開口部とを有して図示のような箱形形状（平面視略長方形となる箱形状）に形成されている。共通ハウジング３７は、この内部に図示しない３つのヒューズエレメントを各々収容保持することができるように形成されている。共通ハウジング３７は、３つのヒューズエレメントに共通するハウジングであることから、ここでは「共通」と呼ぶものとする。ヒューズエレメントの収容保持に係る構造は、従来同様であるものとする。
【００５０】
ヒューズエレメントを構成するヒューズ端子は、共通ハウジング３７の下端開口部から臨むことができる位置に配置されている。また、ヒューズエレメントを構成する可溶体は、上枠部４１から臨むことができる位置に配置されている。可溶体は、上枠部４１に嵌合する可溶体カバー３８により覆われて保護されている。可溶体カバー３８は、可溶体の状態を視認可能にするために透明な樹脂材料により成形されている。可溶体カバー３８は、所定の形状となるように成形されている。このような可溶体カバー３８には、ロック部（符号省略）が複数形成されている。ロック部は、上枠部４１との嵌合部分として形成されている。
【００５１】
相対向する一対の側壁３９及び一対の側壁４０は、それぞれ平坦な外面を有するように形成されている。一対の側壁３９及び一対の側壁４０のうち、後者の一対の側壁４０には、それぞれガイド４２が２つ形成されている。ガイド４２は、凸状となる形状であって、具体的には共通ハウジング３７の下端位置から上枠部４１まで真っ直ぐのびるように形成されている。ガイド４２は、３連ヒュージブルリンク２１の装着方向に真っ直ぐのびるように形成されている。このようなガイド４２は、本実施例において、側壁３９との連続部分に配置形成されている。
【００５２】
上枠部４１は、これを上方から見ると、略長方形の枠状に形成されている。また、上枠部４１は、一対の側壁３９及び一対の側壁４０よりも若干外側に突出するように形成されている。この突出する形状部分は、３連ヒュージブルリンク２１を取り外す際に、図示しない治具の摘みや引っ掛けをする部分として用いられるようになっている。
【００５３】
図４（ｂ）において、単極ヒュージブルリンク２２は、１つのヒューズエレメント（図示省略）と、１つの単極ハウジング４３と、１つの可溶体カバー４４とを備えて構成されている。単極ヒュージブルリンク２２は、３連ヒュージブルリンク２１に備えられる公知のヒューズエレメントを１つ備えてなるものであって、通常「ヒュージブルリンク」と呼ばれるものと同じであるものとする。単極ヒュージブルリンク２２は、ヒューズエレメントを１つ備えることから、３連ヒュージブルリンク２１の上記「３連」と区別するために「単極」と呼ぶものとする。
【００５４】
単極ハウジング４３は、絶縁性を有する樹脂部品であって、相対向する一対の側壁４５と、同じく相対向する一対の側壁４６と、上枠部４７と、図示しない下端開口部とを有して図示のような箱形形状（平面視略正方形となる箱形状）に形成されている。単極ハウジング４３は、この内部に図示しない１つのヒューズエレメントを収容保持することができるように形成されている。ヒューズエレメントの収容保持に係る構造は、従来同様であるものとする。
【００５５】
相対向する一対の側壁４５及び一対の側壁４６は、それぞれ平坦な外面を有するように形成されている。一対の側壁４５及び一対の側壁４６のうち、後者の一対の側壁４６には、それぞれガイド４８が２つ形成されている。ガイド４８は、凸状となる形状であって、具体的には単極ハウジング４３の下端位置から上枠部４７まで真っ直ぐのびるように形成されている。ガイド４８は、単極ヒュージブルリンク２２の装着方向に真っ直ぐのびるように形成されている。このようなガイド４８は、本実施例において、側壁４６を三等分する位置に配置形成されている。
【００５６】
上枠部４７は、これを上方から見ると、略正方形の枠状に形成されている。また、上枠部４７は、一対の側壁４５及び一対の側壁４６よりも若干外側に突出するようにも形成されている。この突出する形状部分は、３連ヒュージブルリンク２１と同様、図示しない治具の摘みや引っ掛けをする部分として用いられるようになっている。
【００５７】
図４（ｃ）において、図中の長方形は３連ヒュージブルリンク２１を模式的に示したものである。この３連ヒュージブルリンク２１は、長手方向の長さとなる全長がＬ１になるものとする。一方、正方形を３つ並べたものは、単極ヒュージブルリンク２２を模式的に示したものである。３つ並べた長さとなる全長はＬ２になるものとする。
【００５８】
図から分かるように、３連ヒュージブルリンク２１の全長Ｌ１の方が単極ヒュージブルリンク２２を３つ並べた全長Ｌ２よりも短く（Ｌ１＜Ｌ２）なるようになっている。これは、図示しないヒューズエレメントを隔離するためとして単極ヒュージブルリンク２２では、図４（ｂ）の側壁４５が２つ並んで必要以上の隔離になってしまうからである。３連ヒュージブルリンク２１においては、例えば上記の側壁４５が１つで済むことから、この差が全長に反映されるようになる。
【００５９】
３連ヒュージブルリンク２１と、単極ヒュージブルリンク２２を３つ並べた場合とを比べると、３連ヒュージブルリンク２１の方は、寸法短縮が図られたものになることが分かる。
【００６０】
尚、寸法短縮に関し、単極ヒュージブルリンク２２を３つ並べたものは、従来の技術である図１１の構造に対応していることが分かる。つまり、３連ヒュージブルリンク２１は、従来例よりも寸法短縮が図られたものになっていることが分かる。
【００６１】
図５において、この図中に示されるキャビティ２７は、カセットブロック１９（図３参照）から便宜的に抜き出したものである。キャビティ２７は、ヒュージブルリンク装着用の樹脂成型部分として形成されている。キャビティ２７は、相対向する一対の側壁４９と、同じく相対向する一対の側壁５０と、装着空間５１と、底壁５２とを有して図示形状に形成されている。キャビティ２７は、一対の側壁４９及び一対の側壁５０に囲まれて装着空間５１が形成されるように、また、キャビティ上端を開口させてこの開口と装着空間５１とが連続するように形成されている。
【００６２】
相対向する一対の側壁４９及び一対の側壁５０は、３連ヒュージブルリンク２１の一対の側壁３９及び一対の側壁４０（図４参照）に対応するように形成されている。
【００６３】
相対向する一対の側壁４９及び一対の側壁５０は、本発明において３連ヒュージブルリンク２１のみならず単極ヒュージブルリンク２２の装着も可能にするため、単極ヒュージブルリンク２２の一対の側壁４５及び一対の側壁４６（図４参照）にも対応するように形成されている。
【００６４】
一対の側壁５０の内面には、それぞれガイド５３が複数形成されている。ガイド５３は、凹状（溝状）となる形状であって、３連ヒュージブルリンク２１のガイド４２（図４参照）や単極ヒュージブルリンク２２のガイド４８（図４参照）を案内することができるように形成されている。ガイド５３は、キャビティ２７の底壁５２に向けて形成されている。また、３連ヒュージブルリンク２１や単極ヒュージブルリンク２２の装着方向に真っ直ぐのびるように形成されている。
【００６５】
一対の側壁５０は、この上端の開口縁を凹ませるような形状の切り欠き部５４を有している。切り欠き部５４は、上記図示しない治具に対する逃がし部分であって、３連ヒュージブルリンク２１や単極ヒュージブルリンク２２（図４参照）を引っ掛けてこれを取り外すことができるような深さ及び幅に形成されている。本実施例において、上記ガイド５３は切り欠き部５４の縁部に連続するように形成されている。
【００６６】
装着空間５１は、上記の如く一対の側壁４９及び一対の側壁５０に囲まれる空間であって、この全長は３連ヒュージブルリンク２１の全長Ｌ１（図４参照）と略同じになるように設定されている。
【００６７】
キャビティ２７は、装着空間５１の全長がＬ１であることから、従来例に比べて小型のキャビティに形成されている。
【００６８】
キャビティ２７の底である底壁５２には、タブ挿通部５５が複数貫通形成されている。タブ挿通部５５は、タブ３４を突出させる部分として形成されている。尚、ここでのタブ３４は公知の形状であるものとする（図９（ａ）参照）。
【００６９】
タブ挿通部５５は、３連ヒュージブルリンク２１（図４参照）の上記図示しない複数のヒューズ端子の位置に合わせて配置形成されている。また、タブ挿通部５５は、このような配置のみならず次のような位置にも配置形成されている。すなわち、キャビティ２７に単極ヒュージブルリンク２２（図４参照）も装着されることから、この装着時において単極ハウジング４３（図４参照）に当たらない位置にも配置形成されている。
【００７０】
タブ挿通部５５の近傍の引用符号５６は、バスバー用のロック部を示している。ロック部５６は、キャビティ２７に３連ヒュージブルリンク２１（図４参照）を装着する場合は、バスバー２４、２５（図３参照）を係止する部分として用いられている。また、単極ヒュージブルリンク２２（図４参照）を装着する場合は、バスバー２４や他のバスバー、或いは端子等を係止する部分として用いられている。
【００７１】
上記構成及び構造において、キャビティ２７に３連ヒュージブルリンク２１を装着すると、図６及び図９（ｂ）に示す如くの装着状態になる。
【００７２】
図９（ｂ）を見ると分かるが、３連ヒュージブルリンク２１は寸法短縮が図られたヒュージブルリンクであると言える。なぜならば、図９（ｂ）には、キャビティ２７よりも図中手前に単極ヒュージブルリンク２２用のキャビティ２８が３つ並んでおり、これらと比べると明らかに寸法短縮が図られていることが分かるからである。
【００７３】
キャビティ２７の位置にて寸法短縮を図る必要がある場合には、３つのキャビティ２８及び単極ヒュージブルリンク２２でなく、キャビティ２７や３連ヒュージブルリンク２１を採用することが有効であると言える。
【００７４】
キャビティ２７は、上記の如く３連ヒュージブルリンク２１専用のキャビティでなく、単極ヒュージブルリンク２２を装着することも可能である。
【００７５】
尚、単極ヒュージブルリンク２２は、これを装着する必要性があるのは２つまでであることが分かる。なぜならば、３つ装着しようとする場合は、３連ヒュージブルリンク２１を装着することで対応ができるからである。
【００７６】
以下、単極ヒュージブルリンク２２をキャビティ２７に装着する各種場合について説明をする。
【００７７】
図７及び図１０（ａ）において、キャビティ２７に単極ヒュージブルリンク２２を２つ装着すると、この２つの単極ヒュージブルリンク２２は、これらの間に非装着空間５７が生じた状態で装着されることになる。
【００７８】
２つの単極ヒュージブルリンク２２の間に非装着空間５７が生じるのは、タブ３４及びタブ挿通部５５を、３連ヒュージブルリンク２１のヒューズ端子の位置に合わせて、また、単極ヒュージブルリンク２２の装着時に、単極ハウジング４３に当たらない位置に配置しているからである。
【００７９】
図８及び図１０（ｂ）において、キャビティ２７に単極ヒュージブルリンク２２を１つ装着すると、１つの単極ヒュージブルリンク２２は、この両隣に非装着空間５７がそれぞれ生じた状態で装着されることになる。
【００８０】
１つの単極ヒュージブルリンク２２の両隣に非装着空間５７がそれぞれ生じるのは、上記の２つの場合と同じである。尚、図７及び図１０（ａ）の２つの装着位置でどちらか１つを選択するようにしてもよいものとする。この場合、単極ヒュージブルリンク２２の左隣又は右隣に非装着空間５７が生じるようになる。
【００８１】
本実施例で特に図示しないが、２連となるヒュージブルリンクを形成し、これをキャビティ２７に装着することも可能であるものとする。
【００８２】
他の例に関して、例えば４連となるヒュージブルリンク、及びこれに対応するキャビティを形成した場合には、キャビティに４連ヒュージブルリンクを装着することができるのは勿論のこと、非装着空間を含めて単極ヒュージブルリンクを２つ又は１つ装着することができるようになるものとする。
【００８３】
また、例えば５連となるヒュージブルリンク、及びこれに対応するキャビティを形成した場合には、キャビティに５連ヒュージブルリンクを装着することができるのは勿論のこと、非装着空間を含めて単極ヒュージブルリンクを３つ、２つ、又は１つ装着することや、２連ヒュージブルリンクを装着することができるようになるものとする。
【００８４】
以上、図１ないし図１０を参照しながら説明してきたように、本発明によれば、ｎ連ヒュージブルリンク（３連ヒュージブルリンク２１など）を用いることにより、従来に比べ寸法短縮を図ることができるという効果を奏する。また、本発明によれば、ｎ連ヒュージブルリンク（３連ヒュージブルリンク２１など）のみならず単極ヒュージブルリンク２２の装着も可能な構造であることから、従来に比べ汎用性を高めることができるという効果も奏する。
【００８５】
この他、本発明によれば、キャビティ２７、３連ヒュージブルリンク２１、単極ヒュージブルリンク２２にガイド５３、４２、４８を複数形成していることから、装着性の向上を図ることができるという効果も奏する。
【００８６】
また、本発明によれば、キャビティ２７に切り欠き部５４を一対形成することから、治具を用いての取り外しの際に、ヒュージブルリンクに対する摘みをし易くすることができるという効果も奏する。
【００８７】
本発明は本発明の主旨を変えない範囲で種々変更実施可能なことは勿論である。
【符号の説明】
【００８８】
１…電気接続箱
２…電気接続箱本体
３…アッパーカバー
４…ロアカバー
５…サイドカバー
１０…カセットブロックアッセンブリ
１９…カセットブロック
２０…ヒュージブルリンク
２１…３連ヒュージブルリンク
２２…単極ヒュージブルリンク
２３…ブロックハウジング
２４、２５…バスバー
２７…キャビティ
３４…タブ（端子）
３７…共通ハウジング
３８…可溶体カバー
３９、４０…側壁
４１…上枠部
４２…ガイド
４３…単極ハウジング
４４…可溶体カバー
４５、４６…側壁
４７…上枠部
４８…ガイド
４９、５０…側壁
５１…装着空間
５２…底壁（底）
５３…ガイド
５４…切り欠き部
５５…タブ挿通部
５６…ロック部
５７…非装着空間
【図１】
0005695975.tif 000002
【図２】
0005695975.tif 000003
【図３】
0005695975.tif 000004
【図４】
0005695975.tif 000005
【図５】
0005695975.tif 000006
【図６】
0005695975.tif 000007
【図７】
0005695975.tif 000008
【図８】
0005695975.tif 000009
【図９】
0005695975.tif 000010
【図１０】
0005695975.tif 000011
【図１１】
0005695975.tif 000012
【図１２】
0005695975.tif 000013